(57)【要約】【課題】大型化あるいは増設を余儀なくされたレシ−バやオイル分離器の収納場所を確保すると同時に暖房運転時の熱交換器の凍結防止を図った空気調和機を提供する。【解決手段】室外機１に、その一方の側面と背面に面して略Ｌ字状に形成された熱交換器３と、他方の側面側に設けられ熱交換器３の側板３ａの延長線上に形成された仕切板４とを備え、仕切板４で、圧縮機５等を収納する機械室１１と、熱交換器３、ファンモータ１５を保持するファンモ−タ支持台１６を配置した送風回路１３とを仕切り、さらに送風回路１３内で、熱交換器３の仕切板４と反対側の部分とファンモ−タ支持台１６で形成された第１の空間ｄにレシ−バ１８を配し、熱交換器３と仕切板４とファンモ−タ支持台１６で形成された第２の空間ｅにオイル分離器２２を配し、大型化されるレシ−バ１８、オイル分離器２２の収納場所を確保すると共に、部分凍結を防止する。【選択図】図１ 
2005133971.tif 000002
【特許請求の範囲】
【請求項１】
室内機と、前記室内機と接続される室外機からなり、前記室外機は、前記室外機の一方の側面と背面に面して略Ｌ字状に形成された熱交換器と、他方の側面側に設けられ前記熱交換器の側板の延長線上に形成された仕切板とを備え、前記仕切板により、圧縮機、冷媒配管等の冷凍サイクル部品を収納する機械室と、前記熱交換器、ファンモータ、前記ファンモ−タを保持するファンモ−タ支持台を配置した送風回路とを仕切り、さらに前記送風回路内において、前記熱交換器の前記仕切板と反対側の部分と前記ファンモ−タ支持台で形成される第１の空間に余剰冷媒貯蔵用のレシ−バ又はオイル分離器のいずれか一方を配し、他方を、熱交換器と前記仕切板と前記ファンモ−タ支持台で形成される第２の空間に配したことを特徴とする空気調和機。
【請求項２】
レシ−バとオイル分離器の外形寸法を略同一に形成し、前記レシ−バと前記オイル分離器を、ファンモ−タ支持台の室外機の背面に直交する中心線に対し、ほぼ左右対称に配することを特徴とする請求項１に記載の空気調和機。
【請求項３】
レシ−バ及びオイル分離器を熱交換器の近傍に配置することを特徴とする請求項１又は２記載の空気調和機。
【請求項４】
レシ−バ及び／又はオイル分離器に接続される冷媒配管を熱交換器の近傍に配置することを特徴とする請求項１〜３のいずれか１項記載の空気調和機。
【請求項５】
レシ−バ及びオイル分離器の各々をファンモ−タ支持台の左右の支柱と熱交換器との間に配置することを特徴とする請求項１〜４のいずれか１項記載の空気調和機。
【発明の詳細な説明】
【技術分野】
【０００１】
本発明は、空気調和機に関するもので、特に室外機内のレシ−バ及びオイル分離器の収納に関するものである。
【背景技術】
【０００２】
従来の空気調和機の室外機として、図７に示すようなものがあった。
【０００３】
図において、室外機１内は、仕切板４で、圧縮機５、アキュ−ムレ−タ６、四方弁７やそれらを結ぶ接続配管等を収納している機械室１１と熱交換器３、ファン１４、ファンモ−タ支持台１６等で構成される送風回路１３に区分され、比較的小型のレシ−バ１８及びオイル分離器２２は前記機械室１１に収納されていた。仕切板４は、レシ−バ１８及びオイル分離器２２等を機械室１１に収納するためのスペースの関係で送風回路１３側に突出していた。
【０００４】
図８は、他の従来例を示すもので、室外機１内を、送風回路１３側に突出した凸部を有する仕切板４で、圧縮機５、アキュ−ムレ−タ６、四方弁７及びそれらを結ぶ接続配管（図示せず）等を収納している機械室１１と、熱交換器３、ファン１４、ファン１４を駆動するファンモータ１５、ファンモ−タ支持台１６等で構成される送風回路１３に仕切り、機械室１に収納しきれないレシ−バ１８は送風回路１３内に配されると共に、仕切板４に設けられた貫通穴４ｃを経てレシ−バ接続配管１７に連結されていた（例えば、特許文献１参照）。
【特許文献１】特開２００１−１７３９９８号公報
【発明の開示】
【発明が解決しようとする課題】
【０００５】
しかしながら、図７に示されるようなレシ−バ１８、オイル分離器２２を機械室１１に収納するものにあっては、特に複数の室内機と接続可能なマルチエアコンに対処する室外機の場合、冷媒量の増加に伴いレシ−バ１８やオイル分離器２２が大型化し、そのためそれらを収納する機械室１１を構成する仕切板４が送風回路１３側に大きく突出し、送風性能を大幅に低下させるという課題があった。
【０００６】
また、図８に示されるような、一部では、収納しきれず増設に対応すべく新たなスペ−ス活用として送風回路１３を活用したものの場合、それは単にスペ−スとして活用しているものであり、凸部を有する仕切板４の背面の熱交換機３を中心に暖房運転時に生ずる熱交換器３の凍結を防止することができないという課題を有していた。
【０００７】
本発明はこのような従来の課題を解決するものであり、大型化或いは増設を余儀なくされたレシ−バやオイル分離器の収納場所を確保すると同時に暖房運転時の熱交換器の凍結防止を図った空気調和機を提供することを目的とする。
【課題を解決するための手段】
【０００８】
前記従来の課題を解決するために、本発明の空気調和機の室外機は、前記室外機の一方の側面と背面に面して略Ｌ字状に形成された熱交換器と、他方の側面側に設けられ前記熱交換器の側板の延長線上に形成された仕切板とを備え、前記仕切板により、圧縮機、冷媒配管等の冷凍サイクル部品を収納する機械室と、前記熱交換器、ファンモータ、前記ファンモ−タを保持するファンモ−タ支持台を配置した送風回路とを仕切り、さらに前記送風回路内において、前記熱交換器の前記仕切板と反対側の部分と前記ファンモ−タ支持台で
形成される第１の空間に余剰冷媒貯蔵用のレシ−バ又はオイル分離器のいずれか一方を配し、他方を、熱交換器と前記仕切板と前記ファンモ−タ支持台で形成される第２の空間に配したもので、大型化あるいは増設余儀なくされたレシ−バ、オイル分離器の収納場所が確保されると共に、仕切板による熱交換器の局部的閉塞がなくなり、暖房運転時の部分凍結の防止もできるという効果を奏する。
【発明の効果】
【０００９】
本発明の空気調和機は、大型化或いは増設を余儀なくされたレシ−バやオイル分離器の収納場所を確保すると同時に暖房運転時の熱交換器の凍結防止を確実に防止できる。
【発明を実施するための最良の形態】
【００１０】
第１の発明は、室内機と、前記室内機と接続される室外機からなり、前記室外機は、前記室外機の一方の側面と背面に面して略Ｌ字状に形成された熱交換器と、他方の側面側に設けられ前記熱交換器の側板の延長線上に形成された仕切板とを備え、前記仕切板により、圧縮機、冷媒配管等の冷凍サイクル部品を収納する機械室と、前記熱交換器、ファンモータ、前記ファンモ−タを保持するファンモ−タ支持台を配置した送風回路とを仕切り、さらに前記送風回路内において、前記熱交換器の前記仕切板と反対側の部分と前記ファンモ−タ支持台で形成される第１の空間に余剰冷媒貯蔵用のレシ−バ又はオイル分離器のいずれか一方を配し、他方を、熱交換器と前記仕切板と前記ファンモ−タ支持台で形成される第２の空間に配したもので、大型化あるいは増設余儀なくされたレシ−バ、オイル分離器の収納場所が確保できると共に、仕切板による熱交換器の局部的閉塞がなくなり、暖房運転時の部分凍結の防止もできるという効果を奏する。
【００１１】
第２の発明は、特に、第１の発明のレシ−バとオイル分離器の外形寸法を略同一に形成し、前記レシ−バと前記オイル分離器を、ファンモ−タ支持台の室外機の背面に直交する中心線に対し、ほぼ左右対称に配するもので、左右の送風路がほぼ均一になり、仕切板近傍のみならず熱交換器全体に渡り凍結が防止できるという効果を奏する。
【００１２】
第３の発明は、特に、第１又は第２の発明のレシ−バ及びオイル分離器を熱交換器の近傍に配置するもので、両者の輻射熱により仕切板近傍のみならず近傍の熱交換器の凍結が防止できるという効果を奏する。
【００１３】
第４の発明は、特に、第１〜３のいずれか１つの発明のレシ−バ及び／又はオイル分離器に接続される冷媒配管を熱交換器の近傍に配置するもので、冷媒配管の輻射熱により仕切板近傍のみならず接続配管近傍の熱交換器の凍結が防止できるという効果を奏する。
【００１４】
第５の発明は、特に、第１〜４のいずれか１つの発明のレシ−バ及びオイル分離器の各々をファンモ−タ支持台の左右の支柱と熱交換器との間に配置するもので、左右の送風路がより均一化され、仕切板近傍のみならず熱交換器全体に渡り凍結が防止できるという効果を奏する。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機の内部構成を示す平面図、図２は、同室外機の側面図、図３は同空気調和機の冷凍サイクル図である。なお、従来と同一部分については同一符号を用いてその説明を省略する。
【００１７】
図において、１は、室内機（図示せず）に冷媒配管（図示せず）を通して接続される室
外機で、その室外機１の基板２の上には、室外機１の一方の側面（ａ）と背面（ｂ）に面してＬ字状に形成された熱交換器３と、他方の側面（ｃ）側に位置し前記熱交換器３の側板３ａの延長線上に形成された仕切板４が設けられ、その仕切板４により、圧縮機５、アキュ−ムレ−タ６、四方弁７、膨張弁８、ガス側接続バルブ９ａ、液側接続バルブ９ｂ及び冷媒配管１０等の冷凍サイクル部品を収納する機械室１１と、上方に電装箱１２を配すると共に前記熱交換器３を内蔵する送風回路１３が仕切られている。送風回路１３には、ファン１４及びファンモ−タ１５を保持するファンモ−タ支持台１６が配置され、前記送風回路１３内の熱交換器３の仕切板４と反対側の部分と、ファン１４及びファンモ−タ支持台１６で形成される第１の空間ｄに、機械室１１から第１の仕切板貫通部４ａを経て冷媒配管であるレシ−バ接続配管１７で接続された余剰冷媒貯蔵用のレシ−バ１８が固定板１９を介し基板２に固定されている。
【００１８】
また前記送風回路１３内の熱交換器３、仕切板４、ファン１４及びファンモ−タ支持台１５で形成される第２の空間ｅに、前記機械室１１から第２の仕切板貫通穴４ｂを経て冷媒配管であるオイル分離器接続配管２０及びオイル戻し管２１で接続されたオイル分離器２２が固定具２３を介し仕切板４に固定されている。
【００１９】
図３は本実施の形態の冷凍サイクルを示した図で、３は熱交換器、５は圧縮機、６はアキュ−ムレ−タ、７は四方弁、８は膨張弁、９ａはガス側接続配管、９ｂは液側接続配管、１７はレシ−バ接続配管、１８はレシ−バ、２０はオイル分離器接続配管、２１はオイル戻し管、２２はオイル分離器である。
【００２０】
上記構成において、送風回路１３内の熱交換器３、ファン１４及びファンモ−タ支持台１６で形成される第１の空間ｄにレシ−バ１８が配置され、また送風回路１３内の熱交換器３、仕切板４、ファン１４及びファンモ−タ支持台１５で形成される第２の空間ｅにオイル分離器２２が配置されることにより、仕切板４は、熱交換器３の側板３ａの延長線上に送風回路１３側に極端に突出する突出部を必要とせず熱交換器３の側板３ａ近傍の遮蔽が防げ、暖房時に生ずる凍結を回避することができる。なお、上記レシ−バ１８とオイル分離器２２の配置を入れ替えても同様の効果を得ることができる。
【００２１】
（実施の形態２）
図４は、本発明の第２の実施の形態における空気調和機の室外機の内部構成を示す平面図、図５は同室外機の側面図である。なお、上記従来例及び第１の実施の形態と同一部分に付いては同一符号を用いてその説明を省略する。
【００２２】
図において、送風回路１３の第１の空間ｄ及び第２の空間ｅにファンモ−タ１５の室外機１の背面（ｂ）に直交する中心線を中心に対称で、しかも熱交換器３に接した位置に直径及び高さの等しいレシ−バ１８及びオイル分離器２２をそれぞれ配し、レシ−バ接続配管１７をファンモ−タ支持台１６の背面付近で、前記熱交換器３の表面下方から上方へ立ち上げてル−プ状とし、またオイル分離器接続配管２０を仕切板４とファンモ−タ支持台１６間で前記熱交換器３の表面中央から上方にル−プ状にしている。
【００２３】
以上のように、本実施の形態によれば、レシ−バ１８とオイル分離器２２の直径及び高さが等しくファンモ−タ１５の中心線に左右対称に配置しているので、通風抵抗が均一化され送風性能の安定が図れる。また、レシ−バ１８及びオイル分離器２２が熱交換器３に接しているので低外気温下での暖房運転時に生ずる熱交換器３表面の着霜による凍結を防止できる。また、レシーバ接続配管１７及びオイル分離器接続配管２０を熱交換器３の表面でル−プ状に配することにより、さらに低外気温下での暖房運転時に生ずる熱交換器３の表面の着霜による凍結を確実に防止できる。
【００２４】
なお、上記レシ−バ１８とオイル分離器２２の配置を入れ替えても同様の効果を得られることはいうまでもない。
【００２５】
（実施の形態３）
図６は本発明の第３の実施の形態における空気調和機の室外機の内部構成を示す平面図である。なお、上記実施の形態と同一部分に付いては同一符号を用いてその説明を省略する。
【００２６】
本実施の形態では、図に示すように、送風回路１３の第１の空間ｄ及び第２の空間ｅ内で、ファンモ−タ支持台１６の左側支柱１６ｄ及び右側支柱１６ｅの背後にレシ−バ１８及びオイル分離器２２をそれぞれ配したものである。
【００２７】
上記構成によれば、元々設けられている左側支柱１６ｄ及び右側支柱１６ｅの背後にレシ−バ１８及びオイル分離器２２を配するので、それらを設けることによる送風低下を抑えることができる。
【産業上の利用可能性】
【００２８】
以上のように、本発明にかかる空気調和機は、大型化或いは増設を余儀なくされたレシ−バやオイル分離器の収納場所を確保すると同時に暖房運転時の熱交換器の凍結防止を確実に防止できるので、家庭用、業務用の各種空調機器に適用できるものである。
【図面の簡単な説明】
【００２９】
【図１】本発明の実施の形態１における空気調和機の室外機の内部構成を示す平面図
【図２】同室外機の側面図
【図３】同空気調和機の冷凍サイクル図
【図４】本発明の実施の形態２における空気調和機の室外機の内部構成を示す平面図
【図５】同室外機の側面図
【図６】本発明の実施の形態３における空気調和機の室外機の内部構成を示す平面図
【図７】従来の空気調和機の室外機の内部構成を示す平面図
【図８】他の従来例を示す室外機の内部構成を示す平面図
【符号の説明】
【００３０】
１    室外機
２    基板
３    熱交換器
４    仕切板
５    圧縮機
１０    冷媒配管
１１    機械室
１３    送風回路
１４    ファン
１５    ファンモ−タ
１６    ファンモ−タ支持台
１６ｄ  左側支柱
１６ｅ  右側支柱
１７    レシ−バ接続配管（冷媒配管）
１８    レシ−バ
２０    オイル分離器接続配管（冷媒配管）
２２    オイル分離器
【図１】
2005133971.tif 000003
【図２】
2005133971.tif 000004
【図３】
2005133971.tif 000005
【図４】
2005133971.tif 000006
【図５】
2005133971.tif 000007
【図６】
2005133971.tif 000008
【図７】
2005133971.tif 000009
【図８】
2005133971.tif 000010